(57)【要約】【課題】視聴の邪魔にならずに視聴画面と共にメッセージやコンテンツのタイトルの一覧などを表示することができるデジタル放送受信装置を提供する。【解決手段】装着された光ディスクが再生専用であるか録画可能であるかを判別すると共に、表示画面を制御する制御部２５を備え、光ディスクが装着された際、前記制御部２５は、デジタル放送や外部入力のコンテンツを表示する第１の表示領域と、前記光ディスクの準備中であることを示すメッセージを表示する第２の表示領域とを含む表示画面を表示させ、前記光ディスクが再生専用である場合、前記光ディスクの準備が完了したら前記光ディスクに録画されたコンテンツの再生画面のみを表示させ、前記光ディスクが録画可能である場合、前記第２の表示領域に前記光ディスクに録画されたコンテンツタイトルの一覧をさらに表示させ、前記光ディスクの準備が終了したら前記第２の表示領域における前記メッセージを消去する。【選択図】図１
2010103983.tif 000002
【特許請求の範囲】
【請求項１】
光ディスクにおいてコンテンツの録画及び再生が可能なデジタル放送受信装置であって、
装着された光ディスクが再生専用であるか録画可能であるかを判別すると共に、表示画面を制御する制御部を備え、
光ディスクが装着された際、前記制御部は、デジタル放送や外部入力のコンテンツを表示する第１の表示領域と、前記光ディスクの準備中であることを示すメッセージを表示する第２の表示領域とを含む表示画面を表示させ、
前記光ディスクが再生専用である場合、前記光ディスクの準備が完了したら前記光ディスクに録画されたコンテンツの再生画面のみを表示させることを特徴とするデジタル放送受信装置。
【請求項２】
光ディスクにおいてコンテンツの録画及び再生が可能なデジタル放送受信装置であって、
装着された光ディスクが再生専用であるか録画可能であるかを判別すると共に、表示画面を制御する制御部を備え、
光ディスクが装着された際、前記制御部は、デジタル放送や外部入力のコンテンツを表示する第１の表示領域と、前記光ディスクの準備中であることを示すメッセージを表示する第２の表示領域とを含む表示画面を表示させ、
前記光ディスクが録画可能である場合、前記第２の表示領域に前記光ディスクに録画されたコンテンツタイトルの一覧をさらに表示させ、
前記光ディスクの準備が終了したら前記第２の表示領域における前記メッセージを消去することを特徴とするデジタル放送受信装置。
【請求項３】
光ディスクにおいてコンテンツの録画及び再生が可能なデジタル放送受信装置であって、
装着された光ディスクが再生専用であるか録画可能であるかを判別すると共に、表示画面を制御する制御部を備え、
光ディスクが装着された際、前記制御部は、デジタル放送や外部入力のコンテンツを表示する第１の表示領域と、前記光ディスクの準備中であることを示すメッセージを表示する第２の表示領域とを含む表示画面を表示させ、
前記光ディスクが再生専用である場合、前記光ディスクの準備が完了したら前記光ディスクに録画されたコンテンツの再生画面のみを表示させ、
前記光ディスクが録画可能である場合、前記第２の表示領域に前記光ディスクに録画されたコンテンツタイトルの一覧をさらに表示させ、
前記光ディスクの準備が終了したら前記第２の表示領域における前記メッセージを消去することを特徴とするデジタル放送受信装置。
【請求項４】
前記第２の表示領域に表示された前記コンテンツタイトルの一覧において所定のコンテンツタイトルが選択された場合、該コンテンツタイトルの表示画面のみを表示させることを特徴とする請求項２又は３に記載のデジタル放送受信装置。
【請求項５】
前記第２の表示領域に表示された前記コンテンツタイトルの一覧においてカーソルを表示させ、カーソルが合わさったコンテンツタイトルのサムネール動画を前記第２の表示領域においてさらに表示させることを特徴とする請求項２乃至４のいずれか１項に記載のデジタル放送受信装置。
【請求項６】
前記光ディスクに記録された識別ＩＤに基づいて、前記第２の表示領域に表示される前記コンテンツタイトルの一覧の外観を変化させることを特徴とする請求項２乃至５のいずれか１項に記載のデジタル放送受信装置。
【請求項７】
光ディスクにおいてコンテンツの録画及び再生が可能なデジタル放送受信装置における表示画面を制御する方法であって、
光ディスクが装着された際、デジタル放送や外部入力のコンテンツを表示する第１の表示領域と、前記光ディスクの準備中であることを示すメッセージを表示する第２の表示領域とを含む表示画面を表示させるステップと、
装着された光ディスクが再生専用であるか録画可能であるかを判別するステップと、
前記光ディスクが再生専用である場合、前記光ディスクの準備が完了したら前記光ディスクに録画されたコンテンツの再生画面のみを表示させるステップと、
前記光ディスクが録画可能である場合、前記第２の表示領域に前記光ディスクに録画されたコンテンツタイトルの一覧をさらに表示させるステップと、
前記光ディスクが録画可能である場合、前記光ディスクの準備が終了したら前記第２の表示領域における前記メッセージを消去することを特徴とする方法。
【請求項８】
請求項７の方法をコンピュータに実行させるためのプログラム。
【請求項９】
請求項８に記載のプログラムを記録するコンピュータ読み取り可能な記録媒体。
【請求項１０】
放送番組の視聴画面あるいはコンテンツの再生画面を全画面で表示する第１の表示モードと、
前記放送番組の視聴画面あるいは前記コンテンツの再生画面を縮小して表示する第１の表示領域と、前記第１の表示領域以外の第２の表示領域とを含む表示画面を表示する第２の表示モードとを切替えて表示することを特徴とするデジタル放送受信装置。
【請求項１１】
内蔵する記憶装置および／または接続された外部の記憶装置においてコンテンツの録画および再生が可能なデジタル放送受信装置であって、
放送番組の視聴画面あるいはコンテンツの再生画面を全画面で表示する第１の表示モードと、
放送番組の視聴画面あるいはコンテンツの再生画面を縮小して表示する第１の表示領域と、前記第１の表示領域以外の第２の表示領域とを含む表示画面を表示する第２の表示モードとを切替えて表示し、
前記第２の表示モードで、前記第２の表示領域に、前記記憶装置に録画されたコンテンツのコンテンツタイトル一覧を表示し、前記コンテンツタイトル一覧において選択されたコンテンツの再生画面を前記第１の表示モードで表示することを特徴とするデジタル放送受信装置。
【請求項１２】
前記第２の表示領域に、前記記憶装置に関する情報をさらに表示することを特徴とする請求項１１に記載のデジタル放送受信装置。
【請求項１３】
前記第２の表示領域に、前記記憶装置に記録されたコンテンツの再生画面のサムネール動画をさらに表示することを特徴とする請求項１１または１２に記載のデジタル放送受信装置。
【請求項１４】
再生専用光ディスクの再生が可能なデジタル放送受信装置であって、
放送番組の視聴画面あるいはコンテンツの再生画面を全画面で表示する第１の表示モードと、
放送番組の視聴画面あるいはコンテンツの再生画面を縮小して表示する第１の表示領域と、前記第１の表示領域以外の第２の表示領域とを含む表示画面を表示する第２の表示モードとを切替えて表示し、
再生専用光ディスクが装着されると、前記第２の表示モードで画面表示を行い、再生準備が完了するまで、前記第１の表示領域に、前記再生専用光ディスクの装着前に前記第１の表示モードで表示されていた放送番組の視聴画面あるいはコンテンツ画面を表示し、前記第２の表示領域にディスク読み込み中を知らせるメッセージを表示し、
前記再生専用光ディスクの再生準備が完了したら、前記第１の表示領域に前記再生専用光ディスクの再生画面を表示し、前記第２の表示領域に放送番組の視聴画面のサムネール動画を表示することを特徴とするデジタル放送受信装置。
【請求項１５】
光ディスクにおいてコンテンツの録画及び再生が可能なデジタル放送受信装置であって、
放送番組の視聴画面あるいはコンテンツの再生画面を全画面で表示する第１の表示モードと、
放送番組の視聴画面あるいはコンテンツの再生画面を縮小して表示する第１の表示領域と、前記第１の表示領域以外の第２の表示領域とを含む表示画面を表示する第２の表示モードとを切替えて表示し、
コンテンツが録画された前記光ディスクが装着された状態でリモコンまたは本体操作部において所定のユーザ操作が行われると、前記第２の表示モードで画面表示を行い、前記第１の表示領域に、前記ユーザ操作が行われる前に前記第１の表示モードで表示されていた放送番組の視聴画面あるいはコンテンツ画面を表示し、前記第２の表示領域に、前記光ディスクに録画されたコンテンツのコンテンツタイトル一覧を表示し、前記コンテンツタイトル一覧において選択されたコンテンツの再生画面を前記第１の表示モードで表示することを特徴とするデジタル放送受信装置。
【請求項１６】
前記第２の表示領域に、前記光ディスクに関する情報をさらに表示することを特徴とする請求項１５に記載のデジタル放送受信装置。
【請求項１７】
前記第２の表示領域に、前記光ディスクに記録されたコンテンツの再生画面のサムネール動画をさらに表示することを特徴とする請求項１５または１６に記載のデジタル放送受信装置。
【請求項１８】
接続された外部の記憶装置においてコンテンツの録画及び再生が可能なデジタル放送受信装置であって、
放送番組の視聴画面あるいはコンテンツの再生画面を全画面で表示する第１の表示モードと、
放送番組の視聴画面あるいはコンテンツの再生画面を縮小して表示する第１の表示領域と、前記第１の表示領域以外の第２の表示領域とを含む表示画面を表示する第２の表示モードとを切替えて表示し、
コンテンツが録画された前記記憶装置が接続された状態でリモコンまたは本体操作部において所定のユーザ操作が行われると、前記第２の表示モードで画面表示を行い、前記第１の表示領域に、前記ユーザ操作が行われる前に前記第１の表示モードで表示されていた放送番組の視聴画面あるいはコンテンツ画面を表示し、前記第２の表示領域に、前記記憶装置に録画されたコンテンツのコンテンツタイトル一覧を表示し、前記コンテンツタイトル一覧において選択されたコンテンツの再生画面を前記第１の表示モードで表示することを特徴とするデジタル放送受信装置。
【請求項１９】
前記第２の表示領域に、前記記憶装置に関する情報をさらに表示することを特徴とする請求項１８に記載のデジタル放送受信装置。
【請求項２０】
前記第２の表示領域に、前記記憶装置に記録されたコンテンツの再生画面のサムネール動画をさらに表示することを特徴とする請求項１８または１９に記載のデジタル放送受信装置。
【請求項２１】
内蔵または接続された記憶装置においてコンテンツの録画及び再生が可能なデジタル放送受信装置であって、
放送番組の視聴画面あるいはコンテンツの再生画面を全画面で表示する第１の表示モードと、
放送番組の視聴画面あるいはコンテンツの再生画面を縮小して表示する第１の表示領域と、前記第１の表示領域以外の第２の表示領域とを含む表示画面を表示する第２の表示モードとを切替えて表示し、
コンテンツが録画された前記記憶装置が起動されると、前記第２の表示モードで画面表示を行い、前記第１の領域に、前記記憶装置に録画されたコンテンツから選択されたコンテンツの再生画面を表示し、前記第２の表示領域に、前記記憶装置の起動前に前記第１の表示モードで表示されていた放送番組の視聴画面あるいはコンテンツ画面のサムネール動画を表示することを特徴とするデジタル放送受信装置。
【請求項２２】
前記第２の表示領域に、前記記憶装置に録画されたコンテンツのコンテンツタイトル一覧をさらに表示することを特徴とする請求項２１に記載のデジタル放送受信装置。
【請求項２３】
前記第２の表示領域に、前記記憶装置に関する情報をさらに表示することを特徴とする請求項２１または２２に記載のデジタル放送受信装置。
【請求項２４】
光ディスクにおいてコンテンツの録画及び再生が可能なデジタル放送受信装置であって、
放送番組の視聴画面あるいはコンテンツの再生画面を全画面で表示する第１の表示モードと、
放送番組の視聴画面あるいはコンテンツの再生画面を縮小して表示する第１の表示領域と、前記第１の表示領域以外の第２の表示領域とを含む表示画面を表示する第２の表示モードとを切替えて表示し、
光ディスクが装着されると、前記第２の表示モードで画面表示を行い、再生または録画準備が完了するまで、前記第１の表示領域に、前記光ディスクの装着前に前記第１の表示モードで表示されていた放送番組の視聴画面あるいはコンテンツ画面を表示し、前記第２の表示領域にディスク読み込み中を知らせるメッセージと、前記第１の表示領域に表示している放送番組あるいはコンテンツについての情報とを表示することを特徴とするデジタル放送受信装置。
【発明の詳細な説明】
【技術分野】
【０００１】
本発明はデジタル放送受信装置に関する。
【背景技術】
【０００２】
近年、デジタル放送を受信し、表示するデジタル放送受信装置において、ＤＶＤ−Ｒ、ＤＶＤ−ＲＷ、ブルーレイディスク、ハードディスク（ＨＤＤ）、メモリカードなどの録画メディアや外部記憶装置にコンテンツを録画したり、録画メディアや外部記憶装置に録画されたコンテンツを再生したりする機能を持ったものが登場してきている。
【０００３】
ＤＶＤ−Ｒ、ＤＶＤ−ＲＷ、ブルーレイディスクなどの光ディスクの場合、ディスク情報の読み込みなどが必要なため、デジタル放送受信装置に装着されてから、該光ディスクに録画されたコンテンツを再生する準備が整うまでに所定の待ち時間が必要となる。
【０００４】
光ディスクが準備中であることをユーザに通知するためにメッセージを表示することが望ましいが、メッセージのみを表示させると、この待ち時間の間中、放送コンテンツや外部入力などを視聴することができなくなる。
【０００５】
視聴画面と同時にメッセージを表示する手段としては、例えば特許文献１に記載されているようなＯＳＤ（On Screen Display）がある。従来のデジタル放送受信装置では、この待ち時間の間、準備中であることを示すメッセージを画面上にＯＳＤ表示するようにしたものがある。このようにすることで、待ち時間の間に放送コンテンツや外部入力などを視聴することが可能になる。
【０００６】
また、すでにコンテンツが録画されている録画可能な光ディスクを装着した場合、該光ディスクに録画されているコンテンツのタイトルの一覧を画面上にＯＳＤ表示するものもある。
【先行技術文献】
【特許文献】
【０００７】
【特許文献１】特開２００８−０７２２２２号公報
【発明の概要】
【発明が解決しようとする課題】
【０００８】
上記のような従来のデジタル放送受信装置では、コンテンツの視聴中に光ディスクを装着した場合、準備中であることを示すメッセージが視聴画面に重なって表示されるので、視聴の邪魔になるという問題があった。また、録画可能な録画メディアの場合、上記のように録画されているコンテンツのタイトルの一覧を画面上にＯＳＤ表示する場合にも、同様の問題があった。
【０００９】
本発明は、このような実情に鑑みてなされたものであり、視聴の邪魔にならずに視聴画面と共にメッセージやコンテンツのタイトルの一覧などを表示することができるデジタル放送受信装置を提供する。
【課題を解決するための手段】
【００１０】
本発明のデジタル放送受信装置では、光ディスク装着時に、デジタル放送や外部入力のコンテンツを表示する第１の表示領域と、光ディスクが準備中であることを示すメッセージを表示する第２の表示領域とを含む２画面構成の表示画面を表示することを特徴とする。このようにすることで、コンテンツ表示の視聴の邪魔にならないようにメッセージを同時に表示することができる。
【００１１】
すなわち、本発明のデジタル放送受信装置は、光ディスクにおいてコンテンツの録画及び再生が可能なデジタル放送受信装置であって、装着された光ディスクが再生専用であるか録画可能であるかを判別すると共に、表示画面を制御する制御部を備え、光ディスクが装着された際、前記制御部は、デジタル放送や外部入力のコンテンツを表示する第１の表示領域と、前記光ディスクの準備中であることを示すメッセージを表示する第２の表示領域とを含む表示画面を表示させ、前記光ディスクが再生専用である場合、前記光ディスクの準備が完了したら前記光ディスクに録画されたコンテンツの再生画面のみを表示させることを特徴とする。
【００１２】
本発明の他のデジタル放送受信装置は、光ディスクにおいてコンテンツの録画及び再生が可能なデジタル放送受信装置であって、装着された光ディスクが再生専用であるか録画可能であるかを判別すると共に、表示画面を制御する制御部を備え、光ディスクが装着された際、前記制御部は、デジタル放送や外部入力のコンテンツを表示する第１の表示領域と、前記光ディスクの準備中であることを示すメッセージを表示する第２の表示領域とを含む表示画面を表示させ、前記光ディスクが録画可能である場合、前記第２の表示領域に前記光ディスクに録画されたコンテンツタイトルの一覧をさらに表示させ、前記光ディスクの準備が終了したら前記第２の表示領域における前記メッセージを消去することを特徴とする。
【００１３】
本発明のさらに他のデジタル放送受信装置は、光ディスクにおいてコンテンツの録画及び再生が可能なデジタル放送受信装置であって、装着された光ディスクが再生専用であるか録画可能であるかを判別すると共に、表示画面を制御する制御部を備え、光ディスクが装着された際、前記制御部は、デジタル放送や外部入力のコンテンツを表示する第１の表示領域と、前記光ディスクの準備中であることを示すメッセージを表示する第２の表示領域とを含む表示画面を表示させ、前記光ディスクが再生専用である場合、前記光ディスクの準備が完了したら前記光ディスクに録画されたコンテンツの再生画面のみを表示させ、前記光ディスクが録画可能である場合、前記第２の表示領域に前記光ディスクに録画されたコンテンツタイトルの一覧をさらに表示させ、前記光ディスクの準備が終了したら前記第２の表示領域における前記メッセージを消去することを特徴とする。
【００１４】
前記第２の表示領域に表示された前記コンテンツタイトルの一覧において所定のコンテンツタイトルが選択された場合、該コンテンツタイトルの表示画面のみを表示させるようにしてもよい。
【００１５】
前記第２の表示領域に表示された前記コンテンツタイトルの一覧においてカーソルを表示させ、カーソルが合わさったコンテンツタイトルのサムネール動画を前記第２の表示領域においてさらに表示させるようにしてもよい。
【００１６】
前記光ディスクに記録された識別ＩＤに基づいて、前記第２の表示領域に表示される前記コンテンツタイトルの一覧の外観を変化させるようにしてもよい。
【００１７】
本発明のデジタル放送受信装置の他の態様は、放送番組の視聴画面あるいはコンテンツの再生画面を全画面で表示する第１の表示モードと、前記放送番組の視聴画面あるいは前記コンテンツの再生画面を縮小して表示する第１の表示領域と、前記第１の表示領域以外の第２の表示領域とを含む表示画面を表示する第２の表示モードとを切替えて表示することを特徴とする。
【００１８】
本発明のデジタル放送受信装置のさらに他の態様は、内蔵する記憶装置および／または接続された外部の記憶装置においてコンテンツの録画および再生が可能なデジタル放送受信装置であって、放送番組の視聴画面あるいはコンテンツの再生画面を全画面で表示する第１の表示モードと、放送番組の視聴画面あるいはコンテンツの再生画面を縮小して表示する第１の表示領域と、前記第１の表示領域以外の第２の表示領域とを含む表示画面を表示する第２の表示モードとを切替えて表示し、前記第２の表示モードで、前記第２の表示領域に、前記記憶装置に録画されたコンテンツのコンテンツタイトル一覧を表示し、前記コンテンツタイトル一覧において選択されたコンテンツの再生画面を前記第１の表示モードで表示することを特徴とする。
【００１９】
前記第２の表示領域に、前記記憶装置に関する情報をさらに表示してもよい。
前記第２の表示領域に、前記記憶装置に記録されたコンテンツの再生画面のサムネール動画をさらに表示してもよい。
【００２０】
本発明のデジタル放送受信装置のさらに他の態様は、再生専用光ディスクの再生が可能なデジタル放送受信装置であって、放送番組の視聴画面あるいはコンテンツの再生画面を全画面で表示する第１の表示モードと、放送番組の視聴画面あるいはコンテンツの再生画面を縮小して表示する第１の表示領域と、前記第１の表示領域以外の第２の表示領域とを含む表示画面を表示する第２の表示モードとを切替えて表示し、再生専用光ディスクが装着されると、前記第２の表示モードで画面表示を行い、再生準備が完了するまで、前記第１の表示領域に、前記再生専用光ディスクの装着前に前記第１の表示モードで表示されていた放送番組の視聴画面あるいはコンテンツ画面を表示し、前記第２の表示領域にディスク読み込み中を知らせるメッセージを表示し、前記再生専用光ディスクの再生準備が完了したら、前記第１の表示領域に前記再生専用光ディスクの再生画面を表示し、前記第２の表示領域に放送番組の視聴画面のサムネール動画を表示することを特徴とする。
【００２１】
本発明のデジタル放送受信装置のさらに他の態様は、光ディスクにおいてコンテンツの録画及び再生が可能なデジタル放送受信装置であって、放送番組の視聴画面あるいはコンテンツの再生画面を全画面で表示する第１の表示モードと、放送番組の視聴画面あるいはコンテンツの再生画面を縮小して表示する第１の表示領域と、前記第１の表示領域以外の第２の表示領域とを含む表示画面を表示する第２の表示モードとを切替えて表示し、コンテンツが録画された前記光ディスクが装着された状態でリモコンまたは本体操作部において所定のユーザ操作が行われると、前記第２の表示モードで画面表示を行い、前記第１の表示領域に、前記ユーザ操作が行われる前に前記第１の表示モードで表示されていた放送番組の視聴画面あるいはコンテンツ画面を表示し、前記第２の表示領域に、前記光ディスクに録画されたコンテンツのコンテンツタイトル一覧を表示し、前記コンテンツタイトル一覧において選択されたコンテンツの再生画面を前記第１の表示モードで表示することを特徴とする。
【００２２】
前記第２の表示領域に、前記光ディスクに関する情報をさらに表示してもよい。
前記第２の表示領域に、前記光ディスクに記録されたコンテンツの再生画面のサムネール動画をさらに表示してもよい。
【００２３】
本発明のデジタル放送受信装置のさらに他の態様は、接続された外部の記憶装置においてコンテンツの録画及び再生が可能なデジタル放送受信装置であって、放送番組の視聴画面あるいはコンテンツの再生画面を全画面で表示する第１の表示モードと、放送番組の視聴画面あるいはコンテンツの再生画面を縮小して表示する第１の表示領域と、前記第１の表示領域以外の第２の表示領域とを含む表示画面を表示する第２の表示モードとを切替えて表示し、コンテンツが録画された前記記憶装置が接続された状態でリモコンまたは本体操作部において所定のユーザ操作が行われると、前記第２の表示モードで画面表示を行い、前記第１の表示領域に、前記ユーザ操作が行われる前に前記第１の表示モードで表示されていた放送番組の視聴画面あるいはコンテンツ画面を表示し、前記第２の表示領域に、前記記憶装置に録画されたコンテンツのコンテンツタイトル一覧を表示し、前記コンテンツタイトル一覧において選択されたコンテンツの再生画面を前記第１の表示モードで表示することを特徴とする。
【００２４】
前記第２の表示領域に、前記記憶装置に関する情報をさらに表示してもよい。
前記第２の表示領域に、前記記憶装置に記録されたコンテンツの再生画面のサムネール動画をさらに表示してもよい。
【００２５】
本発明のデジタル放送受信装置のさらに他の態様は、内蔵または接続された記憶装置においてコンテンツの録画及び再生が可能なデジタル放送受信装置であって、放送番組の視聴画面あるいはコンテンツの再生画面を全画面で表示する第１の表示モードと、放送番組の視聴画面あるいはコンテンツの再生画面を縮小して表示する第１の表示領域と、前記第１の表示領域以外の第２の表示領域とを含む表示画面を表示する第２の表示モードとを切替えて表示し、コンテンツが録画された前記記憶装置が起動されると、前記第２の表示モードで画面表示を行い、前記第１の領域に、前記記憶装置に録画されたコンテンツから選択されたコンテンツの再生画面を表示し、前記第２の表示領域に、前記記憶装置の起動前に前記第１の表示モードで表示されていた放送番組の視聴画面あるいはコンテンツ画面のサムネール動画を表示することを特徴とする。
【００２６】
前記第２の表示領域に、前記記憶装置に録画されたコンテンツのコンテンツタイトル一覧をさらに表示してもよい。
前記第２の表示領域に、前記記憶装置に関する情報をさらに表示してもよい。
【００２７】
本発明のデジタル放送受信装置のさらに他の態様は、光ディスクにおいてコンテンツの録画及び再生が可能なデジタル放送受信装置であって、放送番組の視聴画面あるいはコンテンツの再生画面を全画面で表示する第１の表示モードと、放送番組の視聴画面あるいはコンテンツの再生画面を縮小して表示する第１の表示領域と、前記第１の表示領域以外の第２の表示領域とを含む表示画面を表示する第２の表示モードとを切替えて表示し、光ディスクが装着されると、前記第２の表示モードで画面表示を行い、再生または録画準備が完了するまで、前記第１の表示領域に、前記光ディスクの装着前に前記第１の表示モードで表示されていた放送番組の視聴画面あるいはコンテンツ画面を表示し、前記第２の表示領域にディスク読み込み中を知らせるメッセージと、前記第１の表示領域に表示している放送番組あるいはコンテンツについての情報とを表示することを特徴とする。
【発明の効果】
【００２８】
本発明のデジタル放送受信装置は、視聴の邪魔にならずに視聴画面と共にメッセージやコンテンツのタイトルの一覧などを表示することができる
【図面の簡単な説明】
【００２９】
【図１】本発明のデジタル放送受信装置の構成の一例を示すブロック図である。
【図２】本発明のデジタル放送受信装置における光ディスク装着時の処理の流れを説明するフローチャートである。
【図３】（ａ）〜（ｆ）は本発明のデジタル放送受信装置における表示画面の例である。
【図４】本発明のデジタル放送受信装置の構成の他の例を示すブロック図である。
【図５】第２の実施形態における処理の流れを説明するフローチャートである。
【図６】（ａ）〜（ｄ）は第２の実施形態における表示画面の例である。
【図７】第３の実施形態における処理の流れを説明するフローチャートである。
【図８】（ａ）〜（ｃ）は第３の実施形態における表示画面の例である。
【図９】第４の実施形態における処理の流れを説明するフローチャートである。
【図１０】（ａ）〜（ｄ）は第４の実施形態における表示画面の例である。
【図１１】第５の実施形態における処理の流れを説明するフローチャートである。
【図１２】（ａ）〜（ｅ）は第５の実施形態における表示画面の例である。
【図１３】第６の実施形態における表示画面の例である。
【図１４】第６の実施形態における表示画面の他の例である。
【発明を実施するための形態】
【００３０】
＜第１の実施形態＞
以下、本発明の一実施の形態によるデジタル放送受信装置について図面を参照しながら、説明を行う。図１は、本実施の形態によるデジタル放送受信装置の構成の一例を示すブロック図である。図１に示すデジタル放送受信装置は、録画再生機能を備えたデジタルテレビジョン受信装置であり、いわゆるレコーダ一体型のテレビジョン装置であるが、このような一体型の装置に本発明を限定するものではない。
【００３１】
図１に示すように、本発明の一実施の形態によるデジタル放送受信装置は、アンテナから受信したデジタル放送の信号を受信して選局するなどの処理を行うフロントエンド１と、デマルチプレクサ３と、デマルチプレクサ３からの出力をデコードする映像・音声デコード５と、デコードされた映像信号と後述するメッセージ及びコンテンツタイトル一覧とを合成して表示させるための信号を生成する画面合成部１７と、画面合成部１７で合成した信号に基づく表示部２１と、音声を出力する音声出力部７と、を有している。
【００３２】
さらに、光ディスクが準備中であることを示すメッセージや、光ディスクに録画されたコンテンツタイトルの一覧を生成するメッセージ生成部１５を備える。
【００３３】
加えて、他の外部機器との間のインターフェイスを形成するインターフェイス部３１と、制御機器であるリモコン装置からのリモコン信号を受信するリモコン受光部２３と、光ディスクを駆動して、放送コンテンツなどの録画・再生を行う光ディスクメディア駆動部３３と、全体を制御する制御部（ＣＰＵ）２５と、制御部２５において実行され、各種の処理を行わせるためのアプリケーションプログラムを記録し、そのプログラムを展開してＣＰＵに提供するメモリ部（ＲＡＭ・ＲＯＭ）２７と、を有している。
【００３４】
上記の構成により、デジタル放送や光ディスクに録画されたコンテンツなどのコンテンツを表示させたりすることができる。
【００３５】
図２は、本発明のデジタル放送受信装置における光ディスク装着時の処理の流れを説明するフローチャートである。図３に示す表示画面例も参照しながら説明する。
【００３６】
ステップＳ１０１において、表示部２１は、例えば図３（ａ）に示すようにデジタル放送の視聴画面を一画面構成で表示しているとする。ステップＳ１０２において、光ディスクメディア駆動部３３に光ディスクが装着され、ディスク情報の読み込みなどが行われる。ステップＳ１０３において、制御部２５は、前記ディスク情報に基づいて、装着された光ディスクが再生専用のものか、録画可能なものかを判定し、再生専用の光ディスクの場合、ステップＳ１０４に進み、録画可能な光ディスクの場合、ステップＳ１０６に進む。
【００３７】
装着されたのが再生専用の光ディスクの場合、ステップＳ１０４において、制御部２５は、画面合成部１７に、デジタル放送の視聴画面を縮小して表示する第１の表示領域と、メッセージ生成部１５が生成した光ディスクの準備中であることを示すメッセージを表示する第２の表示領域とを含む２画面構成の表示画面を合成させ、表示部２１に表示させる。この表示画面の一例を図３（ｂ）に示す。光ディスクの再生準備が完了したら、ステップＳ１０５において、制御部２５は、表示部２１に、図３（ｃ）に示すような１画面構成の光ディスクの再生画面を表示させ、処理を終了する。
【００３８】
装着されたのが録画可能な光ディスクの場合、ステップＳ１０６において、該光ディスクが初期化されていない生ディスクであるかどうかを判定し、生ディスクの場合、ステップＳ１０７に進み、生ディスクでない場合、ステップＳ１０９に進む。
【００３９】
装着されたのが録画可能な光ディスクの生ディスクの場合、ステップＳ１０７において、制御部２５は、画面合成部１７に、デジタル放送の視聴画面を縮小して表示する第１の表示領域と、メッセージ生成部１５が生成した光ディスクの準備中であることを示すメッセージを表示する第２の表示領域とを含む２画面構成の表示画面を合成させ、表示部２１に表示させる。この表示画面は、ステップＳ１０４において表示した図３（ｂ）に示すものと同様のものであってもよい。ステップＳ１０５において、光ディスクを初期化するかどうかを確認させるメッセージを第２の表示領域に表示させる。リモコンのカーソルボタンの操作などで初期化の指示が出されると、ステップＳ１０７において光ディスクを初期化する。この際、第２の表示領域に光ディスクをフォーマット中であることを示すメッセージを表示させてもよい。光ディスクのフォーマットが完了したら、ステップＳ１０８において、制御部２５は、表示部２１に、図３（ａ）に示すような一画面構成の、デジタル放送の視聴画面を再び表示させ、処理を終了する。
【００４０】
装着されたのがすでにコンテンツが録画された録画可能な光ディスクの場合、ステップＳ１０９において、制御部２５は、画面合成部１７に、デジタル放送の視聴画面を縮小して表示する第１の表示領域と、メッセージ生成部１５が生成した光ディスクの準備中であることを示すメッセージを表示する第２の表示領域とを含む２画面構成の表示画面を合成させ、表示部２１に表示させる。この表示画面は、ステップＳ１０４において表示した図３（ｂ）に示すものと同様のものであってもよい。ステップＳ１１０において、光ディスクに録画されたコンテンツタイトルを読み出し、第２の表示領域に表示する。この際、光ディスクに録画されたコンテンツタイトルをすべて読み出してから一度に表示させてもよいが、読み出した順に１つずつ表示させるようにしてもよい。また、個々のコンテンツタイトルを表示させる際、図３（ｄ）に示すように、右から挿入されるような効果を付けて表示させるようにしてもよい。このような効果や、表示される色、文字の大きさなどは、光ディスクに対してユーザごとに設定可能な識別ＩＤに基づいて変化させられるようにしてもよい。すべてのコンテンツタイトルが表示された表示画面の一例を図３（ｅ）に示す。同じコンテンツを毎週録画している場合、１つのコンテンツタイトルにまとめて表示させてもよい。また、図３（ｄ）、図３（ｅ）に示すように、録画タイトル数や残り時間などのディスク情報を第２の表示領域に表示させるようにしてもよい。
【００４１】
図３（ｅ）の状態で、リモコンのカーソルボタンの操作等によって個々のコンテンツタイトルにカーソルを合わせることができる。ステップＳ１１１において、制御部２５は、カーソルが合わさったコンテンツタイトルの再生画面をサムネール動画として第２の表示領域に表示させる。このようにすることで、どのようなコンテンツであったかをユーザが確認することができる。この状態の表示画面の一例を図３（ｆ）に示す。第２の表示領域には、サムネール動画以外に、録画時に記録されたコンテンツ関連情報を表示させたり、関連するコンテンツをＥＰＧで表示させたりしてもよい。
【００４２】
ステップＳ１１２において、カーソルが合わさった状態で、例えばリモコンの決定ボタンを押下することで、所望のコンテンツタイトルが選択される。ステップＳ１１３において、制御部２５は、図３（ｃ）に示すような一画面構成の、選択されたコンテンツタイトルの再生画面を表示させ、処理を終了する。図３（ｅ）、図３（ｆ）の例に示すように、各コンテンツタイトルに番号を付け、リモコンの数字キーを押すことによって所望のコンテンツタイトルをダイレクトで選択できるようにしてもよい。
【００４３】
このようにすることで、光ディスクの装着時、コンテンツ表示の視聴の邪魔にならないように光ディスク準備中のメッセージを同時に表示することができる。
【００４４】
記録可能な光ディスクが装着されている場合、第２の表示領域においては、第１の表示領域に表示中のコンテンツを録画する録画ボタンなどを表示させるようにしてもよい。
【００４５】
また、図３に示す例では、第２の表示領域は第１の表示領域の右側に表示したが、第１の表示領域の上下左右いずれに表示してもよい。
【００４６】
＜第２の実施形態＞
上記第１の実施形態では、光ディスク装着時の処理について説明したが、第２の実施形態では、内蔵ハードディスク、ＵＳＢやイーサネットで接続されたハードディスク、ＵＳＢに接続されたフラッシュメモリ等の記憶装置にコンテンツが記録されている場合について説明する。本実施形態は、第１の実施形態と同時に実施可能である。
【００４７】
図４は、本実施の形態によるデジタル放送受信装置の構成の一例を示すブロック図である。図４に示すデジタル放送受信装置は、録画再生機能を備えたデジタルテレビジョン受信装置であり、いわゆるレコーダ一体型のテレビジョン装置であるが、このような一体型の装置に本発明を限定するものではない。
【００４８】
図４に示すように、本発明の第２の実施の形態によるデジタル放送受信装置は、図１に示す第１の実施形態によるデジタル放送受信装置と同様に、アンテナから受信したデジタル放送の信号を受信して選局するなどの処理を行うフロントエンド１と、デマルチプレクサ３と、デマルチプレクサ３からの出力をデコードする映像・音声デコード５と、デコードされた映像信号と後述するメッセージ及びコンテンツタイトル一覧とを合成して表示させるための信号を生成する画面合成部１７と、画面合成部１７で合成した信号に基づく表示部２１と、音声を出力する音声出力部７と、を有している。
【００４９】
さらに、光ディスクが準備中であることを示すメッセージや、光ディスクや記憶装置に録画されたコンテンツタイトルの一覧を生成するメッセージ生成部１５を備える。
【００５０】
加えて、他の外部機器との間のインターフェイスを形成するインターフェイス部３１と、制御機器であるリモコン装置からのリモコン信号を受信するリモコン受光部２３と、光ディスクを駆動して、放送コンテンツなどの録画・再生を行う光ディスクメディア駆動部３３と、全体を制御する制御部（ＣＰＵ）２５と、制御部２５において実行され、各種の処理を行わせるためのアプリケーションプログラムを記録し、そのプログラムを展開してＣＰＵに提供するメモリ部（ＲＡＭ・ＲＯＭ）２７と、を有している。
【００５１】
上記のような第１の実施形態によるデジタル放送受信装置と同様の要素に加え、第２の実施形態によるデジタル放送受信装置は、インタフェース部３１に接続された、ハードディスク３５及びフラッシュメモリ３７を備える。ハードディスク３５は、デジタル放送受信装置に内蔵されるものであっても、ＵＳＢやイーサネット等で接続されるものであってもよい。フラッシュメモリ３７は、どのような形式のものであってもよい。また、ハードディスク３５及びフラッシュメモリ３７は一例であって、コンテンツを録画することができるものであれば、どのような記憶装置であってもかまわない。
【００５２】
上記の構成により、デジタル放送や、光ディスク、ハードディスク、フラッシュメモリなどに録画されたコンテンツなどのコンテンツを表示させたりすることができる。
【００５３】
図５は、本発明のデジタル放送受信装置の第２の実施形態における、記憶装置に録画されたコンテンツのコンテンツ名一覧を表示させる場合の処理の流れを説明するフローチャートである。図６に示す表示画面例も参照しながら説明する。
【００５４】
ステップＳ２０１において、表示部２１は、例えば図６（ａ）に示すようにデジタル放送の視聴画面を一画面構成で表示しているとする。ステップＳ２０２において、コンテンツの一覧を表示する記憶装置を選択する。この際の選択は、例えば、リモコン装置において各記憶装置に割り当てられたキーを押すことによって選択させる、リモコン装置の所定のキー（メニューキー等）の押下によって選択画面を表示させてカーソルキーの操作で選択させる、記憶装置を接続することによって選択させるなど、種々の方法であってもよい。ステップＳ２０３において、制御部２５は、選択された記憶装置に録画されたコンテンツタイトルを読み出し、画面合成部１７に、デジタル放送の視聴画面を縮小して表示する第１の表示領域と、読み出したコンテンツタイトルの一覧を表示する第２の表示領域とを含む２画面構成の表示画面を合成させ、表示部２１に表示させる。このような表示画面の一例を図６（ｂ）に示す。図６（ｂ）に示すように、録画タイトル数や残り時間などの記憶装置の情報を第２の表示領域に表示させるようにしてもよい。
【００５５】
図６（ｂ）の状態で、リモコンのカーソルボタンの操作等によって個々のコンテンツタイトルにカーソルを合わせることができる。ステップＳ２０４において、制御部２５は、カーソルが合わさったコンテンツタイトルの再生画面をサムネール動画として第２の表示領域に表示させる。このようにすることで、どのようなコンテンツであったかをユーザが確認することができる。この状態の表示画面の一例を図６（ｃ）に示す。第２の表示領域には、サムネール動画以外に、録画時に記録されたコンテンツ関連情報を表示させたり、関連するコンテンツをＥＰＧで表示させたりしてもよい。
【００５６】
ステップＳ２０５において、カーソルが合わさった状態で、例えばリモコンの決定ボタンを押下することで、所望のコンテンツタイトルが選択される。ステップＳ２０６において、制御部２５は、図６（ｄ）に示すような一画面構成の、選択されたコンテンツタイトルの再生画面を表示させ、処理を終了する。図６（ｂ）、図６（ｃ）の例に示すように、各コンテンツタイトルに番号を付け、リモコンの数字キーを押すことによって所望のコンテンツタイトルをダイレクトで選択できるようにしてもよい。
【００５７】
記録可能な記憶装置が接続されている場合、第２の表示領域においては、第１の表示領域に表示中のコンテンツを録画する録画ボタンなどを表示させるようにしてもよい。
【００５８】
また、図６に示す例では、第２の表示領域は第１の表示領域の右側に表示したが、第１の表示領域の上下左右いずれに表示してもよい。
【００５９】
＜第３の実施形態＞
前記第１および２の実施形態の構成・動作に加え、再生専用の光ディスクの場合、光ディスクの準備完了後、コンテンツの再生画面を第１の表示領域に縮小して表示し、第２の表示領域には、デジタル放送の視聴画面や外部入力のコンテンツの画面等をサムネール動画として表示する。図７は、このような処理の流れを説明するフローチャートである。図８に示す表示画面例も参照しながら説明する。
【００６０】
ステップＳ３０１において、表示部２１は、例えば図８（ａ）に示すようにデジタル放送の視聴画面を一画面構成で表示しているとする。ステップＳ３０２において、光ディスクメディア駆動部３３に再生専用の光ディスクが装着され、ディスク情報の読み込みなどが行われる。ステップＳ３０３において、制御部２５は、画面合成部１７に、デジタル放送の視聴画面を縮小して表示する第１の表示領域と、メッセージ生成部１５が生成した光ディスクの準備中であることを示すメッセージを表示する第２の表示領域とを含む２画面構成の表示画面を合成させ、表示部２１に表示させる。この表示画面の一例を図８（ｂ）に示す。光ディスクの再生準備が完了したら、ステップＳ３０４において、制御部２５は、画面合成部１７に、第１の表示領域に再生画面を縮小して表示し、第２の表示領域にデジタル放送の視聴画面のサムネール画像を表示する２画面構成の表示画面を合成させ、表示部２１に表示させて処理を終了する。この表示画面の一例を図８（ｃ）に示す。
【００６１】
＜第４の実施形態＞
前記第１〜３の実施形態の構成・動作に加え、光ディスクが装着された状態、あるいは、ハードディスク等の他の録画可能な記憶装置が接続された状態で、リモコン装置または本体の再生ボタン等を押すことで、コンテンツの再生画面を第１の表示領域に縮小して表示し、第２の表示領域には、光ディスクまたは記憶装置に録画されているコンテンツのコンテンツタイトルの一覧を表示する。図９は、このような処理の流れを説明するフローチャートである。図１０に示す表示画面例も参照しながら説明する。この説明では、例として光ディスクの場合について説明する。
【００６２】
ステップＳ４０１において、表示部２１は、例えば図１０（ａ）に示すようにデジタル放送の視聴画面を一画面構成で表示しているとする。この時点で、光ディスクメディア駆動部３３にはコンテンツが録画された光ディスクが装着されているとする。ステップＳ４０２において、リモコン装置または本体の再生ボタンが押されたとする。ステップＳ４０３において、制御部２５は、画面合成部１７に、デジタル放送の視聴画面を縮小して表示する第１の表示領域と、第２の表示領域とを含む２画面構成の表示画面を合成させ、表示部２１に表示させる。第２の表示領域には、光ディスクに録画されたコンテンツタイトルを読み出して一覧として表示する。この表示画面の一例を図１０（ｂ）に示す。この際、光ディスクに録画されたコンテンツタイトルをすべて読み出してから一度に表示させてもよいが、読み出した順に１つずつ表示させるようにしてもよい。また、個々のコンテンツタイトルを表示させる際、右から挿入されるような効果を付けて表示させるようにしてもよい。このような効果や、表示される色、文字の大きさなどは、光ディスクに対してユーザごとに設定可能な識別ＩＤに基づいて変化させられるようにしてもよい。同じコンテンツを毎週録画している場合、１つのコンテンツタイトルにまとめて表示させてもよい。また、図１０（ｂ）に示すように、録画タイトル数や残り時間などのディスク情報を第２の表示領域に表示させるようにしてもよい。
【００６３】
図１０（ｂ）の状態で、リモコンのカーソルボタンの操作等によって個々のコンテンツタイトルにカーソルを合わせることができる。ステップＳ４０４において、制御部２５は、カーソルが合わさったコンテンツタイトルの再生画面をサムネール動画として第２の表示領域に表示させる。このようにすることで、どのようなコンテンツであったかをユーザが確認することができる。この状態の表示画面の一例を図１０（ｃ）に示す。第２の表示領域には、サムネール動画以外に、録画時に記録されたコンテンツ関連情報を表示させたり、関連するコンテンツをＥＰＧで表示させたりしてもよい。
【００６４】
ステップＳ４０５において、カーソルが合わさった状態で、例えばリモコンの決定ボタンを押下することで、所望のコンテンツタイトルが選択される。ステップＳ４０６において、制御部２５は、図１０（ｄ）に示すような一画面構成の、選択されたコンテンツタイトルの再生画面を表示させ、処理を終了する。図１０（ｂ）、図１０（ｃ）の例に示すように、各コンテンツタイトルに番号を付け、リモコンの数字キーを押すことによって所望のコンテンツタイトルをダイレクトで選択できるようにしてもよい。
【００６５】
＜第５の実施形態＞
前記第１の実施形態において、録画可能なディスクで、第２の表示領域に表示されているコンテンツタイトル一覧においてコンテンツタイトルを選択したときにコンテンツの再生画面を一画面構成で表示したが、本実施形態では、第１の表示領域には選択されたコンテンツの再生画面を縮小して表示し、第２の表示領域には、デジタル放送の視聴画面や外部入力のコンテンツの画面等をサムネール動画として表示する。この際、第２の表示領域には、録画可能なディスクに録画されているコンテンツのコンテンツタイトル一覧を表示したままでもよい。さらに、録画可能なディスクについての情報も第２の表示領域に表示させておいてもよい。図１１は、このような処理の流れを説明するフローチャートである。図１２に示す表示画面例も参照しながら説明する。
【００６６】
ステップＳ５０１において、表示部２１は、例えば図１２（ａ）に示すようにデジタル放送の視聴画面を一画面構成で表示しているとする。ステップＳ５０２において、光ディスクメディア駆動部３３にコンテンツが録画された光ディスクが装着され、ディスク情報の読み込みなどが行われる。ステップＳ５０３において、制御部２５は、画面合成部１７に、デジタル放送の視聴画面を縮小して表示する第１の表示領域と、メッセージ生成部１５が生成した光ディスクの準備中であることを示すメッセージを表示する第２の表示領域とを含む２画面構成の表示画面を合成させ、表示部２１に表示させる。この表示画面の一例を図１２（ｂ）に示す。ステップＳ５０４において、光ディスクに録画されたコンテンツタイトルを読み出し、第２の表示領域に表示する。この際、光ディスクに録画されたコンテンツタイトルをすべて読み出してから一度に表示させてもよいが、読み出した順に１つずつ表示させるようにしてもよい。また、個々のコンテンツタイトルを表示させる際、右から挿入されるような効果を付けて表示させるようにしてもよい。このような効果や、表示される色、文字の大きさなどは、光ディスクに対してユーザごとに設定可能な識別ＩＤに基づいて変化させられるようにしてもよい。
【００６７】
すべてのコンテンツタイトルが表示された表示画面の一例を図１２（ｃ）に示す。同じコンテンツを毎週録画している場合、１つのコンテンツタイトルにまとめて表示させてもよい。また、図１２（ｃ）に示すように、録画タイトル数や残り時間などのディスク情報を第２の表示領域に表示させるようにしてもよい。図１２（ｃ）の状態で、リモコンのカーソルボタンの操作等によって個々のコンテンツタイトルにカーソルを合わせることができる。ステップＳ５０５において、制御部２５は、カーソルが合わさったコンテンツタイトルの再生画面を縮小して第１の表示領域に表示し、第２の表示領域には、デジタル放送の視聴画面や外部入力のコンテンツの画面等をサムネール動画として表示する。この際、第２の表示領域には、録画可能なディスクに録画されているコンテンツのコンテンツタイトル一覧を表示したままでもよい。さらに、録画可能なディスクについての情報も第２の表示領域に表示させておいてもよい。この表示画面の一例を図１２（ｄ）に示す。ステップＳ５０６において、カーソルが合わさった状態で、例えばリモコンの決定ボタンを押下することで、制御部２５は、図１２（ｅ）に示すようにコンテンツの再生画面を一画面構成において表示させ、処理を終了する。
【００６８】
＜第６の実施形態＞
本実施形態では、前記第１または第５の実施形態におけるディスク読み込み準備中に、第１の表示領域には視聴しているデジタル放送の視聴画面を縮小して表示し、第２の表示領域には、ディスク読み込み中のメッセージに加え、視聴しているデジタル放送についての番組情報を表示する。このような画面の一例を図１３に示す。また、図１３に示すように第２の表示領域を第１の表示領域の右側のみに配置するのではなく、第１の領域の上側、下側、左側にも配置するようにしてもよい。図１４は、第２の表示領域を第１の表示領域の右側と下側に配置し、ディスク読み込み中のメッセージを第１の表示領域の右側に表示し、番組情報を第１の表示領域の下側に表示した画面の例である。
【産業上の利用可能性】
【００６９】
本発明は、デジタル放送受信装置に利用可能である。
【符号の説明】
【００７０】
１  フロントエンド
３  デマルチプレクサ
５  映像・音声デコード部
７  音声出力部
１５  メッセージ生成部
１７  画面合成部
２１  表示部
２３  リモコン受光部
２５  制御部
２７  メモリ部
３１  インターフェイス部
３３  光ディスクメディア駆動部
３５  ハードディスク
３７  フラッシュメモリ
【図１】
2010103983.tif 000003
【図２】
2010103983.tif 000004
【図３】
2010103983.tif 000005
【図４】
2010103983.tif 000006
【図５】
2010103983.tif 000007
【図６】
2010103983.tif 000008
【図７】
2010103983.tif 000009
【図８】
2010103983.tif 000010
【図９】
2010103983.tif 000011
【図１０】
2010103983.tif 000012
【図１１】
2010103983.tif 000013
【図１２】
2010103983.tif 000014
【図１３】
2010103983.tif 000015
【図１４】
2010103983.tif 000016